(57)【要約】【課題】施工工数の低減を図ることができる建物の屋根構造を提供する。【解決手段】建物は、建物本体と、その上方に設けられた屋根部とを備える。屋根部の一部は建物ユニット２０よりも屋外側に張り出して設けられた屋根張出部となっている。屋根部は、建物ユニット２０の上方に設けられたユニット屋根フレーム４０と、屋根張出部を構成する張出屋根フレーム７０とを有している。ユニット屋根フレーム４０は、建物ユニット２０における屋根張出部側に位置する天井大梁２２上にて支持され、当該天井大梁２２にボルト８１により固定されている。天井大梁２２には、当該天井大梁２２よりも屋根張出部３２側に張り出して設けられた支持ブラケット８３が固定されている。張出屋根フレーム７０は、支持ブラケット８３上にて支持され、当該支持ブラケット８３にボルト８５により固定されている。【選択図】      図４
2015151680.tif 000002
【特許請求の範囲】
【請求項１】
複数の建物ユニットが互いに組み合わせて構築される建物本体と、
前記建物本体の上方に設けられた屋根部とを備え、
前記屋根部は、その一部が所定の前記建物ユニットよりも屋外側に張り出して設けられた屋根張出部となっているユニット式の建物に適用され、
前記屋根部は、並べて設けられた複数の屋根フレームを備え、
前記屋根フレームとして、
前記所定の建物ユニットの上方に設けられた第１屋根フレームと、
前記屋根張出部を構成する第２屋根フレームとを有しており、
前記第１屋根フレームは、前記所定の建物ユニットにおける前記屋根張出部側に位置する天井大梁上にて支持され、当該天井大梁に第１締結具により固定されており、
前記天井大梁には、当該天井大梁よりも前記屋根張出部側に張り出して設けられた支持部材が固定されており、
前記第２屋根フレームは、前記支持部材上にて支持され、当該支持部材に第２締結具により固定されていることを特徴とする建物の屋根構造。
【請求項２】
前記支持部材は、前記天井大梁上にて前記第１屋根フレームと重なり合って設けられる重なり部を有し、
前記重なり部は、前記第１屋根フレームととともに前記第１締結具を用いて前記天井大梁に固定されていることを特徴とする請求項１に記載の建物の屋根構造。
【請求項３】
前記支持部材は、
前記天井大梁上に固定された固定板部と、
前記天井大梁よりも前記屋根張出部側に張り出して設けられて前記第２屋根フレームを下方から支持するとともに、その第２屋根フレームが前記第２締結具により固定される支持板部と、
前記支持板部を前記固定板部とは異なる高さ位置に設定すべく、前記支持板部と前記固定板部との間に設けられてそれら両者間を繋ぐ縦板部と、
を有することを特徴とする請求項１又は２に記載の建物の屋根構造。
【請求項４】
前記屋根部は、陸屋根を構成するものであり、
前記第１屋根フレームと前記第２屋根フレームとは横並びの状態で設けられており、
前記固定板部に対する前記支持板部の高さ位置が、該支持板部により支持される前記第２屋根フレームの上面が前記第１屋根フレームの上面と同一平面上に位置する高さ位置となるように、前記縦板部の上下寸法が設定されていることを特徴とする請求項３に記載の建物の屋根構造。
【請求項５】
前記所定の建物ユニットには、前記屋根張出部の張出側の側面に外壁パネルが取り付けられており、
前記支持板部は、前記外壁パネル上に張り出して設けられ、その高さ位置が前記固定板部よりも高い位置に設定されていることを特徴とする請求項３又は４に記載の建物の屋根構造。
【請求項６】
前記所定の建物ユニットには、前記屋根張出部の張出側の側面に外壁パネルが取り付けられており、
前記外壁パネルは、外壁面材と、その外壁面材を裏面側から支持する下地フレームとを備え、
前記下地フレームは、その上端部に前記外壁面材の幅方向に延びて前記天井大梁の側面に固定された上端フレーム材を有しており、
前記上端フレーム材は、上方に開口された溝部を有して形成されており、
前記支持板部は、前記上端フレーム材上に張り出して設けられており、
前記第２締結具は、その締結状態において前記支持部材よりも下方へと突出する先端側部分が前記溝部に向けて延びていることを特徴とする請求項３乃至５のいずれか一項に記載の建物の屋根構造。
【発明の詳細な説明】
【技術分野】
【０００１】
本発明は、建物の屋根構造に関する。
【背景技術】
【０００２】
従来、建物として、複数の建物ユニットが組み合わせて構成される建物本体と、その建物本体の上方に設けられた屋根部とを備えるユニット式の建物が知られている。この種の建物では、屋根部が陸屋根（フラットルーフ）として構成される場合がある（例えば特許文献１参照）。陸屋根は、建物ユニットの上方に設けられた屋根フレーム上に野地板が横並びで配設され、それら野地板上に下葺き材や屋根仕上げ材等が敷設されることにより形成されている。
【０００３】
屋根フレームは、施工現場での設置工数削減を図る等の目的で、予め製造工場において建物ユニット上に組み付けられることが考えられる。この場合、屋根フレームは、例えば建物ユニットの対向する一対の天井大梁上に架け渡されて設けられ、それら各天井大梁上にボルトにより固定される。
【０００４】
ところで、建物には、二階部分にバルコニーが設けられている場合がある。この場合、陸屋根の一部を建物本体（建物ユニット）よりも屋外側に張り出させて、その張出部分（以下、屋根張出部という）によりバルコニーの上方を覆うことがある。かかる屋根張出部には、その骨組みを構成する張出フレームが設けられる。張出フレームは例えば、一端部が建物ユニットの躯体に固定され屋外側へ向けて延びる一対の張出梁と、それら各張出梁を連結する連結梁とを有して構成される。この場合、連結梁は、例えば建物ユニット（外壁面）から屋外側に離間させた位置に配置される。
【０００５】
屋根部に屋根張出部が設けられる上記の構成では、その屋根張出部にも屋根フレーム（以下、張出屋根フレームという）が配設されることになる。この場合、張出屋根フレームは、建物ユニット上に設けられた屋根フレーム（以下、ユニット屋根フレームという）と横並びで配設されることになる。張出屋根フレームは、例えば張出フレームの連結梁上と建物ユニットの天井大梁上とに架け渡されて設けられ、それら連結梁上及び天井大梁上にそれぞれボルトにより固定される。なお、張出屋根フレームは、施工現場にて張出フレームを建物ユニットに組み付けた後、その張出フレームの連結梁と建物ユニットの天井大梁とに架け渡して設置することになる。
【先行技術文献】
【特許文献】
【０００６】
【特許文献１】特開２０１１−２１４３２２号公報
【発明の概要】
【発明が解決しようとする課題】
【０００７】
ところで、上述した屋根構造では、ユニット屋根フレームと張出屋根フレームとがそれぞれ建物ユニットの同じ天井大梁（屋根張出部側の天井大梁）上にて支持固定されることが想定される。その場合、例えばユニット屋根フレームと張出屋根フレームとを天井大梁上で重なり合うように配置し、その重なり部分で共通のボルトにより両屋根フレームを天井大梁に固定（共締め固定）することが考えられる。
【０００８】
このような構成とした場合、まず製造工場において、ユニット屋根フレームを建物ユニットの各天井大梁上に架け渡して設置し当該天井大梁上にボルトで固定し、その後その状態で建物ユニットを施工現場へ搬送することが考えられる。そして、施工現場において張出屋根フレームを設置する際に、上記のボルトを一旦取り外し、それから張出屋根フレームを張出フレームの連結梁と天井大梁とに架け渡して設置することが考えられる。そして、その状態で、張出屋根フレームをユニット屋根フレームとともに上記のボルトで天井大梁に固定することになると考えられる。
【０００９】
しかしながら、現場でボルトをわざわざ取り外す作業をするのは手間がかかると考えられる。また、ボルトは通常、複数箇所に設けられているため、それら複数のボルトを取り外すとなると大きな手間がかかると考えられる。そのため、上述の屋根構造では、施工工数の増大を招いてしまうおそれがある。
【００１０】
本発明は、上記事情に鑑みてなされたものであり、施工工数の低減を図ることができる建物の屋根構造を提供することを主たる目的とするものである。
【課題を解決するための手段】
【００１１】
上記課題を解決すべく、第１の発明の建物の屋根構造は、複数の建物ユニットが互いに組み合わせて構築される建物本体と、前記建物本体の上方に設けられた屋根部とを備え、前記屋根部は、その一部が所定の前記建物ユニットよりも屋外側に張り出して設けられた屋根張出部となっているユニット式の建物に適用され、前記屋根部は、並べて設けられた複数の屋根フレームを備え、前記屋根フレームとして、前記所定の建物ユニットの上方に設けられた第１屋根フレームと、前記屋根張出部を構成する第２屋根フレームとを有しており、前記第１屋根フレームは、前記所定の建物ユニットにおける前記屋根張出部側に位置する天井大梁上にて支持され、当該天井大梁に第１締結具により固定されており、前記天井大梁には、当該天井大梁よりも前記屋根張出部側に張り出して設けられた支持部材が固定されており、前記第２屋根フレームは、前記支持部材上にて支持され、当該支持部材に第２締結具により固定されていることを特徴とする。
【００１２】
本発明によれば、屋根部を構成する屋根フレームとして、所定の建物ユニット上に第１屋根フレームが設けられ、所定の建物ユニットから屋外側に張り出す屋根張出部に第２屋根フレームが設けられている。第１屋根フレームは屋根張出部側に位置する天井大梁上に支持されて同大梁に第１締結具により固定されている。所定の建物ユニット上への第１屋根フレームの設置固定は、例えば製造工場にて行われる。一方、第２屋根フレームは、天井大梁に同大梁よりも屋根張出部側に張り出した状態で固定された支持部材上に支持されており、その支持部材に対して第２締結具により固定されている。この場合、第２屋根フレームは、天井大梁上とは異なる位置で第２締結具により固定されるため、施工現場にて第２屋根フレームを設置固定する際に、第１屋根フレームを天井大梁に固定する第１締結具をわざわざ取り外す必要がなくなる。そのため、施工工数の低減を図ることができる。
【００１３】
第２の発明の建物の屋根構造は、第１の発明において、前記支持部材は、前記天井大梁上にて前記第１屋根フレームと重なり合って設けられる重なり部を有し、前記重なり部は、前記第１屋根フレームととともに前記第１締結具を用いて前記天井大梁に固定されていることを特徴とする。
【００１４】
本発明によれば、支持部材に、天井大梁上で第１屋根フレームと重なり合う重なり部が設けられ、その重なり部が第１屋根フレームとともに（共通の）第１締結具を用いて天井大梁に共締め固定されている。この場合、支持部材を天井大梁に固定する専用の締結具を設ける場合と比べ、締結具の本数を減らすことができるとともに、本数を減らすことに伴う締結作業の工数低減を図ることができる。
【００１５】
第３の発明の建物の屋根構造は、第１又は第２の発明において、前記支持部材は、前記天井大梁上に固定された固定板部と、前記天井大梁よりも前記屋根張出部側に張り出して設けられて前記第２屋根フレームを下方から支持するとともに、その第２屋根フレームが前記第２締結具により固定される支持板部と、前記支持板部を前記固定板部とは異なる高さ位置に設定すべく、前記支持板部と前記固定板部との間に設けられてそれら両者間を繋ぐ縦板部と、を有することを特徴とする。
【００１６】
本発明によれば、支持部材において天井大梁上に固定された固定板部と、第２屋根フレームを支持する支持板部との間の高さ位置関係が縦板部の上下寸法（高さ寸法）によって規定されている。この場合、天井大梁に対する支持板部の高さ位置ひいては第２屋根フレームの高さ位置（支持高さ）が縦板部の上下寸法により規定されるため、縦板部の上下寸法を適宜設定することで、例えば第２屋根フレームの上面を第１屋根フレームの上面と同一平面上に位置させるといったことが可能となる。
【００１７】
第４の発明の建物の屋根構造は、第３の発明において、前記屋根部は、陸屋根を構成するものであり、前記第１屋根フレームと前記第２屋根フレームとは横並びの状態で設けられており、前記固定板部に対する前記支持板部の高さ位置が、該支持板部により支持される前記第２屋根フレームの上面が前記第１屋根フレームの上面と同一平面上に位置する高さ位置となるように、前記縦板部の上下寸法が設定されていることを特徴とする。
【００１８】
陸屋根を構成する屋根部では、その屋根面をフラットに形成すべく、屋根下地としての野地板が設けられる第１屋根フレームの上面と第２屋根フレームの上面とを同一平面上に位置させる必要がある。そこで本発明では、この点に鑑みて、それら各屋根フレームの上面が同一平面上に位置するように、支持部材の縦板部の上下寸法を設定している。この場合、縦板部の上下寸法をそのように設定することで、比較的簡単にフラットな屋根面を形成することができるため、陸屋根を形成する上で好適な構成といえる。
【００１９】
第５の発明の建物の屋根構造は、第３又は第４のいずれかの発明において、前記所定の建物ユニットには、前記屋根張出部の張出側の側面に外壁パネルが取り付けられており、前記支持板部は、前記外壁パネル上に張り出して設けられ、その高さ位置が前記固定板部よりも高い位置に設定されていることを特徴とする。
【００２０】
建物ユニットにおいて屋根張出部の張出側の側面（屋外側の側面）には通常外壁パネルが取り付けられる。この場合、支持部材の支持板部はその外壁パネル上に張り出して設けられることが考えられる。しかしながら、そうすると、支持板部上に第２屋根フレームを第２締結具により固定する際、第２締結具において支持板部よりも下方へ突出する突出部分が外壁パネルと干渉してしまうおそれがある。そこで本発明では、この点に鑑みて、支持板部の高さ位置を固定板部よりも高い位置に設定し、それにより支持板部を外壁パネルから上方に離して配置している。これにより、第２締結具の上記突出部分が外壁パネルに干渉するのを抑制することができ、その結果かかる干渉に伴い外壁パネルに破損が生じる等の不都合が発生するのを抑制することができる。
【００２１】
第６の発明の建物の屋根構造は、第３乃至第５のいずれかの発明において、前記所定の建物ユニットには、前記屋根張出部の張出側の側面に外壁パネルが取り付けられており、前記外壁パネルは、外壁面材と、その外壁面材を裏面側から支持する下地フレームとを備え、前記下地フレームは、その上端部に前記外壁面材の幅方向に延びて前記天井大梁の側面に固定された上端フレーム材を有しており、前記上端フレーム材は、上方に開口された溝部を有して形成されており、前記支持板部は、前記上端フレーム材上に張り出して設けられており、前記第２締結具は、その締結状態において前記支持部材よりも下方へと突出する先端側部分が前記溝部に向けて延びていることを特徴とする。
【００２２】
一般に、外壁パネルは外壁面材と下地フレームとを備えて構成され、下地フレームは溝部を有する形鋼等からなる複数のフレーム材により構成される。この場合、フレーム上端に配される上端フレーム材は例えば溝部を上方に向けた状態で天井大梁の側面に固定される。そこで本発明では、かかる構成において、支持板部を上端フレーム材上に張り出して設け、その支持板部上に第２屋根フレームを固定する第２締結具の先端側部分（支持板部よりも下方へ延びる部分）を上端フレーム材の溝部へ向けて突出させている。この場合、第２締結具が外壁パネルに干渉するのを好適に回避することができ、かかる干渉に伴い生じうる外壁パネルの破損等の不都合を好適に回避することができる。
【図面の簡単な説明】
【００２３】
【図１】ユニット式建物の全体を示す斜視図。
【図２】建物ユニットを示す斜視図。
【図３】バルコニー上方の屋根部周辺の構成を示す縦断面図。
【図４】屋根部に設けられた屋根フレームを示す平面図。
【図５】建物ユニットに張出フレームが連結された状態を示す平面図。
【図６】ユニット屋根フレームと張出屋根フレームとの境界部の構成を示す縦断面図。
【図７】他の実施形態におけるユニット屋根フレームと張出屋根フレームとの境界部周辺の構成を示す縦断面図。
【発明を実施するための形態】
【００２４】
以下、本発明を具体化した一実施形態を図面を参照しつつ説明する。本実施形態では、建物が複数の建物ユニットにより構築されたユニット式建物となっている。図１は、そのユニット式建物の全体を示す斜視図である。
【００２５】
図１に示すように、建物１０は、基礎１１上に設けられた建物本体１２と、建物本体１２の上方に設けられた屋根部１３とを備える。建物本体１２は、下階部としての一階部分１４と、上階部としての二階部分１５とを有する二階建てとなっている。建物本体１２は、複数の建物ユニット２０が互いに組み合わされることにより構成されている。
【００２６】
建物本体１２の二階部分１５にはバルコニー１６が設けられている。バルコニー１６は、２方の側面が外壁１７により囲まれており、残りの２方の側面が屋外に開放されている。外壁１７には、掃き出し窓からなる窓部１８が形成されている。この窓部１８を通じて居室２４（図３参照）からバルコニー１６への出入りを行うことが可能となっている。また、バルコニー１６における屋外への開放部分には腰壁１９が設けられている。
【００２７】
なお、バルコニー１６は、二階部分１５において建物ユニット２０を一部設けないようにすることで形成された一階部分１４の建物ユニット２０上の空間を利用して形成されている。また、これに代えて、二階部分１５の建物ユニット２０を一階部分１４の建物ユニット２０に対してセットバック（後退）させて配置し、それによって形成される一階部分１４の建物ユニット２０上の空間をバルコニー１６の形成に利用するようにしてもよい。
【００２８】
屋根部１３は、陸屋根（フラットルーフ）として構成されており、その周縁部にはパラペット３１が設けられている。屋根部１３には、建物本体１２よりも屋外側に張り出した屋根張出部３２（軒部）が設けられている。この屋根張出部３２は、バルコニー１６と隣接する居室２４（図３参照）を形成する建物ユニット２０（所定の建物ユニットに相当）から屋外側に張り出して設けられており、その屋根張出部３２によりバルコニー１６が上方から覆われている。また、バルコニー１６の出隅部分には、屋根張出部３２の荷重を支える支持柱３３が立設されている。
【００２９】
図２には建物ユニット２０の斜視図を示す。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３１】
次に、屋根部１３の構成について図３及び図４に基づいて説明する。図３は、バルコニー１６上方の屋根部１３周辺の構成を示す縦断面図である。図４は、屋根部１３に設けられた屋根フレームを示す平面図である。
【００３２】
図３に示すように、バルコニー１６は外壁１７によって居室２４と仕切られている。外壁１７は、横並びに設けられた複数の外壁パネル３５により構成されている。それらの外壁パネル３５は建物ユニット２０の側面に取り付けられている。外壁パネル３５は、バルコニー１６（屋外）に面して設けられた外壁面材３６と、外壁面材３６の裏面側に固定された下地フレーム３７とを有している。外壁面材３６は、窯業系サイディングにより構成されている。
【００３３】
下地フレーム３７は、断面コ字状の軽量鉄骨材よりなる複数のフレーム材３８，３９を有している。複数のフレーム材３８，３９には、上下方向に延びる複数の縦フレーム材３８と、横方向に延びる複数の横フレーム材３９とがある。それら縦フレーム材３８と横フレーム材３９とが矩形形状に連結されることで下地フレーム３７が構成されている。また、各横フレーム材３９のうち、外壁パネル３５（外壁面材３６）の上端部に配された横フレーム材３９（以下、上端フレーム材３９ａという）は、その溝部４５を上方に開口させて配置されている。
【００３４】
居室２４の天井部には天井面材２７が設けられている。天井面材２７は２枚重ねの石膏ボードよりなり、野縁２９を介して天井大梁２２の下面に取り付けられている。天井面材２７の上方空間（天井裏空間）には天井断熱材４７が設けられ、天井大梁２２の溝部には梁断熱材４８が設けられている。天井断熱材４７と梁断熱材４８とはいずれもグラスウールからなる。
【００３５】
図３及び図４に示すように、建物ユニット２０の上方には、屋根部１３を構成するユニット屋根フレーム４０が設けられている。ユニット屋根フレーム４０は、平面視の大きさが建物ユニット２０とほぼ同じ大きさからなる矩形形状をなしており、建物ユニット２０の各長辺側の天井大梁２２上に架け渡されて設けられている。詳しくは、ユニット屋根フレーム４０の長手方向の長さは建物ユニット２０の長手方向の長さ（長辺部の長さ）よりも若干小さくなっている。なお、図４では便宜上、建物ユニット２０を二点鎖線（仮想線）で示している。また、ユニット屋根フレーム４０が第１屋根フレームに相当する。
【００３６】
ユニット屋根フレーム４０は、互いに対向して設けられた一対の対向梁４１と、それら各対向梁４１の間に架け渡されて設けられた複数の小梁４２とを備える。対向梁４１は、その長さが建物ユニット２０の長辺側の天井大梁２２の長さと略同じとなっており、詳しくは当該天井大梁２２の長さよりも若干短くなっている。各対向梁４１はそれぞれ断面Ｌ字状の鋼材よりなり、互いに平行となる向きで配置されている。各対向梁４１はそれぞれ長辺側の天井大梁２２上にて支持される被支持部４３と、その被支持部４３のフレーム内側の端部から上方に立ち上がる立ち上がり部４４とを有している（図６も参照）。
【００３７】
小梁４２は、鉄鋼材よりなり、例えば角形鋼又は溝形鋼よりなる。各小梁４２はそれぞれ対向梁４１と直交する向きで各対向梁４１の間に架け渡されており、その両端部が各対向梁４１の立ち上がり部４４に溶接等により固定されている。また、各小梁４２は、概ね天井小梁２５のピッチ（間隔）と同じピッチで並べられている。より詳しくは、各小梁４２間のピッチのうち、小梁４２の並び方向における両端部のピッチがそれ以外のピッチ（換言すると天井小梁２５のピッチ）よりも小さくなっている。
【００３８】
各対向梁４１はそれぞれ建物ユニット２０の長辺側の天井大梁２２に沿って配置され、各々の被支持部４３がそれぞれ各天井大梁２２上に載置された状態で当該天井大梁２２にボルト８１により固定されている（図６も参照）。ボルト８１は対向梁４１（天井大梁２２）に沿って所定間隔で複数設けられ、それら複数のボルト８１により対向梁４１が天井大梁２２に固定されている。これにより、ユニット屋根フレーム４０が各天井大梁２２に固定され、ひいては建物ユニット２０に固定されている。なお、ユニット屋根フレーム４０は予め製造工場において建物ユニット２０上に組み付けられるものとなっている。
【００３９】
続いて、屋根張出部３２の構成について説明する。
【００４０】
屋根張出部３２においてその底部には軒天板５１が設けられている。軒天板５１は、所定の耐火性能を有する板状の不燃材よりなる。軒天板５１は、外壁１７と屋根張出部３２の先端部（屋外側端部）との間に架け渡されて設けられている。
【００４１】
外壁１７において窓部１８よりも上方には、シャッタ装置５２が設けられている。シャッタ装置５２は、昇降することで窓部１８を開閉するシャッタカーテン５３と、そのシャッタカーテン５３を巻き取り状態で収納するシャッタボックス５４とを備える。シャッタカーテン５３は、例えばスラット式のシャッタカーテンである。シャッタボックス５４は、そのほぼ全体が屋根張出部３２に埋め込まれるようにして外壁１７に取り付けられている。そのため、シャッタボックス５４は、その下面側の一部のみが下方に露出した状態となっている。この場合、軒天板５１の上方の空間（軒天裏空間）を有効利用してシャッタ装置５２の設置が可能となることに加え、外壁１７に形成された窓部１８を上方に拡張することが可能となる。
【００４２】
屋根張出部３２は、当該屋根張出部３２の骨格（骨組み）を構成する張出フレーム５５を備える。張出フレーム５５は、その屋内側の端部（屋外側とは反対側の端部）が建物ユニット２０に連結されており、その連結状態で屋外側（バルコニー１６の上方位置）に張り出すように設けられている。図５には、建物ユニット２０に張出フレーム５５が連結された状態を示している。図３及び図５に示すように、張出フレーム５５は、その平面視の形状が全体として矩形形状をなしている。張出フレーム５５は、その長手方向の長さが建物ユニット２０の長手方向の長さと略同じとされ、その短手方向の長さが建物ユニット２０の短手方向の長さと略同じとされている。
【００４３】
張出フレーム５５は、一端部が建物ユニット２０の柱２１に対して固定され屋外側へ向けて延びる一対の張出梁５６と、それら各張出梁５６の間を連結する２本の連結梁５７とを備える。各張出梁５６は、断面コ字状の溝形鋼よりなる。各張出梁５６は外壁１７に対して直交する向きで設けられ、互いの溝部を向き合わせた状態で配置されている。また、詳しくは、各張出梁５６は、その一端部が柱２１の屋外側に溶接固定された固定金具５９に対してボルト等で固定されている（図３参照）。
【００４４】
各連結梁５７は、断面コ字状の溝形鋼よりなる。各連結梁５７は、張出梁５６に対して直交する向きに延びており、互いの溝部を向き合わせた状態で配置されている。各連結梁５７のうち一方の連結梁５７（以下、場合によってその符号にａを付す）は各張出梁５６の先端部（屋外側端部）の間を連結しており、他方の連結梁５７（以下、場合によってその符号にｂを付す）は各張出梁５６の中間部の間を連結している。
【００４５】
なお、上述のシャッタ装置５２は外壁１７と屋内側の連結梁５７ｂとの間に配設されている。したがって、連結梁５７ｂは外壁１７に対して屋外側にシャッタ装置５２の幅よりも大きい間隔を隔てて配置されている。
【００４６】
各連結梁５７ａ，５７ｂの間には、張出梁５６に平行となる向きで複数の小梁５８が架け渡されている。小梁５８は、張出梁５６や連結梁５７よりも小さい断面寸法を有する鉄鋼材よりなり、例えば溝形鋼又は角形鋼からなる。
【００４７】
図３に示すように、小梁５８には、それよりも下方へと延びる吊り下げ支持材６７が固定されている。吊り下げ支持材６７の下端には軒天板５１の下地材６８が固定されている。また、連結梁５７ｂよりも屋内側には小梁５８が設けられていないため、その連結梁５７ｂには、吊り下げ支持材６７とは別の吊り下げ支持材６９が固定されている。吊り下げ支持材６９は、それよりも屋内側へ延びかつ下方へと延びており、その下端には下地材６８が固定されている。これらの下地材６８はいずれも、小梁５８と直交する方向に延びる長尺材よりなる。そして、これら下地材６８の下面に軒天板５１がビス等で取り付けられている。
【００４８】
図３及び図４に示すように、張出フレーム５５には、２つの張出屋根フレーム６０，７０が設けられている。これら２つの張出屋根フレーム６０，７０は連結梁５７ｂを挟んだ両側にそれぞれ配置されている。これら各張出屋根フレーム６０，７０のうち、屋外側の張出屋根フレーム６０は張出フレーム５５の各連結梁５７ａ，５７ｂの間に架け渡されて設けられており、屋内側の張出屋根フレーム７０は屋内側の連結梁５７ｂと建物ユニット２０の天井大梁２２との間に架け渡されて設けられている。なお、図４では便宜上、張出フレーム５５を二点鎖線（仮想線）で示している。
【００４９】
各張出屋根フレーム６０，７０はいずれも、その平面視の形状が矩形形状（長方形状）をなしており、その長手方向の長さがいずれも同じ長さとなっている。各張出屋根フレーム６０，７０の長手方向の長さは張出フレーム５５の長手方向の長さよりも若干小さくなっており、詳しくはユニット屋根フレーム４０の長手方向の長さと同じとなっている。
【００５０】
張出屋根フレーム６０は、互いに対向して設けられた一対の対向梁６１と、それら各対向梁６１の間に架け渡されて設けられた複数の小梁６２とを備える。対向梁６１は、その長さが建物ユニット２０の長辺側の天井大梁２２の長さよりも若干短くなっており、詳しくはユニット屋根フレーム４０の対向梁４１の長さと同じとなっている。各対向梁６１はそれぞれ断面Ｌ字状の鋼材よりなり、互いに平行となる向きで配置されている。各対向梁６１はそれぞれ連結梁５７ａ，５７ｂに対して横向き状態で支持される被支持部６４と、その被支持部６４のフレーム内側の端部から下方に延びる垂下部６５とを有している。
【００５１】
小梁６２は、鉄鋼材よりなり、例えば角形鋼又は溝形鋼よりなる。各小梁６２はそれぞれ対向梁６１と直交する向きで各対向梁６１の間に架け渡されており、その両端部が各対向梁６１の垂下部６５に溶接等により固定されている。また、各小梁６２は、ユニット屋根フレーム４０の各小梁４２のピッチ（間隔）と同じピッチで並べられている。
【００５２】
各対向梁６１はそれぞれ張出フレーム５５の各連結梁５７ａ，５７ｂに沿って配置され、各々の被支持部６４がそれぞれ各連結梁５７ａ，５７ｂ上に載置された状態で当該連結梁５７ａ，５７ｂにボルト６６により固定されている。ボルト６６は対向梁６１（連結梁５７ａ，５７ｂ）に沿って所定間隔で複数設けられ、それら複数のボルト６６により対向梁６１が連結梁５７ａ，５７ｂに固定されている。これにより、張出屋根フレーム６０が各連結梁５７ａ，５７ｂに固定され、ひいては張出フレーム５５に固定されている。
【００５３】
張出屋根フレーム７０は、張出屋根フレーム６０と基本的に同じ構成を有している。すなわち、張出屋根フレーム７０は、張出屋根フレーム６０と同様、互いに対向して設けられた一対の対向梁７１と、それら各対向梁７１の間に架け渡されて設けられた複数の小梁７２とを備える。対向梁７１は、対向梁６１と同じく断面Ｌ字状の鋼材よりなり、その長さが対向梁６１の長さと同じとなっている。また、対向梁７１は、対向梁６１と同様に、被支持部７４と垂下部７５とを有している。
【００５４】
小梁７２は、小梁６２と同じ鉄鋼材よりなる。小梁７２は、各対向梁７１の間に小梁６２と同じピッチで複数架け渡されており、その両端部が各対向梁７１の垂下部７５に溶接等により固定されている。
【００５５】
各対向梁７１のうち屋外側の対向梁７１ａは連結梁５７ｂに沿って配置され、屋内側の対向梁７１ｂは建物ユニット２０の天井大梁２２に沿って配置されている。対向梁７１ａの被支持部７４は連結梁５７ｂに固定されたブラケット７６上に載置されている。ブラケット７６は、鋼板により断面Ｌ字状に形成されており、連結梁５７ｂの（ウェブの）屋内側面に固定された固定部７６ａと、固定部７６ａの上端部から屋内側へ延び上面が連結梁５７ｂの上面と同じ高さ位置にある被支持部７６ｂとを有する。ブラケット７６は、連結梁５７ｂの長手方向に沿って複数配置されており、連結梁５７ｂに対してボルト等で固定されている。そして、対向梁７１ａの被支持部７４はこれら各ブラケット７６の被支持部７６ｂ上に跨がった状態で載置されており、その載置状態でそれら各ブラケット７６（被支持部７６ｂ）にボルト８４により固定されている。
【００５６】
なお、連結梁５７ｂにブラケット７６を設けないようにして、連結梁５７ｂ上に直接対向梁７１ａを載置しボルト８４で固定するようにしてもよい。
【００５７】
一方、屋内側の対向梁７１ｂは建物ユニット２０の天井大梁２２に対して支持されており、その支持状態で同大梁２２に固定されている（この固定に関する詳細は後述する）。これにより、張出屋根フレーム７０が連結梁５７ｂ及び天井大梁２２にそれぞれ固定され、ひいては張出フレーム５５及び建物ユニット２０にそれぞれ固定されている。なお、張出屋根フレーム７０が第２屋根フレームに相当する。
【００５８】
上記各張出屋根フレーム６０，７０のうち、張出屋根フレーム６０については予め製造工場にて張出フレーム５０に組み付けられるものとなっている。一方、張出屋根フレーム７０については張出フレーム５５と建物ユニット２０とに跨がって設けられる関係上、施工現場においてこれら張出フレーム５５及び建物ユニット２０にそれぞれ組み付けられるものとなっている。
【００５９】
上述したユニット屋根フレーム４０及び各張出屋根フレーム６０，７０の設置状態において、それら各屋根フレーム４０，６０，７０（詳しくは小梁４２，６２，７２）の上面はいずれも同一平面上に位置している。これら各屋根フレーム４０，６０，７０上には、複数の野地板７７が横並びの状態で設けられている。これら野地板７７は、各屋根フレーム４０，６０，７０の小梁４２，６２，７２上に載置された状態で当該小梁４２，６２，７２に対しビス等で固定されている。それら野地板７７の上には屋根断熱材７８が敷設されている。屋根断熱材７８は硬質ウレタンフォーム等からなる。また、屋根断熱材７８の上には葺き材７９が敷設されている。葺き材７９は耐水皮膜が施された鋼板よりなる。葺き材７９は、屋根部１３の屋根面を形成しており、さらにはパラペット３１側の端部で上方に立ち上げられてパラペット３１の内側面を形成している。
【００６０】
ここで、上述したように、ユニット屋根フレーム４０と張出屋根フレーム７０とはいずれも建物ユニット２０の同じ天井大梁２２（詳しくは屋根張出部３２側に位置する天井大梁２２）に対して支持固定されている。そこで、以下において、これら各屋根フレーム４０，７０の天井大梁２２に対する支持固定に関する構成について図６を用いながら詳しく説明する。図６は、ユニット屋根フレーム４０と張出屋根フレーム７０との境界部の構成を示す縦断面図である。
【００６１】
図６に示すように、建物ユニット２０の天井大梁２２（詳しくは上フランジ２２ａ）の上面には、ユニット屋根フレーム４０の対向梁４１の被支持部４３がボルト８１により固定されている。このボルト８１は、被支持部４３に形成された孔部４３ａと上フランジ２２ａに形成された孔部２２ｂとにそれぞれ上方から挿通されており、その挿通状態で上フランジ２２ａの下面に溶接固定されたナット８２（ウェルディングナット）に締結されている。
【００６２】
天井大梁２２上において被支持部４３の上面には支持ブラケット８３が固定されている。支持ブラケット８３は、鋼板により長尺状に形成されており、その横断面（長手方向に対して直交する方向の断面）が略Ｚ形状をなしている。なお、支持ブラケット８３が支持部材に相当する。
【００６３】
支持ブラケット８３は、被支持部４３の上面に上記のボルト８１により固定された固定板部８３ａと、固定板部８３ａの屋外側端部から上方に延びる縦板部８３ｂと、縦板部８３ｂの上端部から屋外側へ延びる支持板部８３ｃとを有する。固定板部８３ａは、天井大梁２２の上フランジ２２ａに被支持部４３とともにボルト８１で共締め固定されている。詳しくは、ボルト８１は、固定板部８３ａに形成された孔部８７と、被支持部４３の孔部４３ａと、天井大梁２２（上フランジ２２ａ）の孔部２２ｂとにそれぞれ上方から挿通され、その挿通状態でナット８２と締結されている。なお、固定板部８３ａが重なり部に相当し、ボルト８１が第１締結具に相当する。
【００６４】
支持板部８３ｃは、天井大梁２２よりも屋外側に張り出した状態で配置されており、外壁パネル３５の上方に位置している。具体的には、支持板部８３ｃは、概ね外壁パネル３５の下地フレーム３７（上端フレーム材３９ａ）の上方に配置されており、その先端部（屋外側端部）が外壁面材３６の上方位置（真上位置）まで到達していない。
【００６５】
支持板部８３ｃ上には、張出屋根フレーム７０の対向梁７１の被支持部７４が載置されている。被支持部７４は、その載置状態で支持板部８３ｃに対してボルト８５により固定されている。このボルト８５は、被支持部７４に形成された孔部７４ａと支持板部８３ｃに形成された孔部８９とにそれぞれ上方から挿通されており、その挿通状態において支持板部８３ｃの下面に溶接固定されたナット８６（ウェルディングナット）に締結されている。ボルト８５は、対向梁７１（支持ブラケット８３）の長手方向に沿って所定間隔で複数配置され、それら複数のボルト８５により被支持部７４が支持板部８３ｃに固定されている。このように、被支持部７４（ひいては対向梁７１）は支持ブラケット８３を介して天井大梁２２に支持固定されている。なお、このボルト８５が第２締結具に相当する。
【００６６】
また、ボルト８５は、被支持部７４の孔部７４ａ及び支持板部８３ｃの孔部８９に対して被支持部７４の上方から挿通されているため、ナット８６に対する締結状態において軸部分が支持板部８３ｃよりも下方へ突出している。この突出部分（先端側部分）は、上端フレーム材３９ａの溝部４５へ向けて突出している。この場合、ボルト８５（軸部分）の下端が上端フレーム材３９ａの上端（さらには外壁面材３６の上端）よりも低い位置に到達していながらも、ボルト８５の突出部分が上端フレーム材３９ａに干渉することが回避されている。
【００６７】
ちなみに、対向梁７１ｂの垂下部７５は、その一部が小梁７２よりも下方に延出した延出部分となっており、その延出部分も上端フレーム材３９ａの溝部４５に入り込んだ状態となっている。したがって、対向梁７１ｂ（垂下部７５）についても、下地フレーム３７との干渉が回避されている。
【００６８】
また、固定板部８３ａに対する支持板部８３ｃの高さ位置は縦板部８３ｂの上下寸法（高さ寸法）によって規定されている。さらに言えば、支持板部８３ｃ上に支持される対向梁４１ひいては張出屋根フレーム７０の高さ位置（支持高さ）は縦板部８３ｂの上下寸法により規定されている。そこで本実施形態では、張出屋根フレーム７０の上面とユニット屋根フレーム４０の上面とが同一平面上に位置する高さ位置に張出屋根フレーム７０が配置されるように縦板部８３ｂの上下寸法が設定されている。このように、各屋根フレーム４０，７０の上面が同一平面上に位置することにより、それら各屋根フレーム４０，７０上に設けられる野地板７７の上面も同一平面上に位置することになる。これにより、それら野地板７７上に形成される屋根面（屋根仕上げ面）をフラットに仕上げることが可能となる。
【００６９】
なお、図中の符号８８は短尺状の連結金具である。この連結金具８８は対向梁７１の被支持部７４と小梁７２とに跨がるＬ字状をなし、それら両者７２，７４に対して溶接固定されている。
【００７０】
次に、建物１０の製造手順について説明する。ここでは、屋根部１３に関する製造手順を中心に説明する。
【００７１】
まず製造工場では、建物本体１２を構成する各建物ユニット２０を製造する。この際、二階部分１５を構成する各建物ユニット２０上にはユニット屋根フレーム４０を設置する。ユニット屋根フレーム４０の設置に際しては、ユニット屋根フレーム４０を建物ユニット２０の長辺側の各天井大梁２２上に架け渡して載置し、その載置状態でユニット屋根フレーム４０（詳しくは対向梁４１）を天井大梁２２にボルト８１により固定する。また、この際、居室２４を形成する（換言するとバルコニー１６と隣接配置される）建物ユニット２０には、さらに、上記のボルト８１を用いて天井大梁２２上に支持ブラケット８３を取り付ける。
【００７２】
製造工場では、建物ユニット２０の他に、屋根張出部３２を構成する張出フレーム５５及び各張出屋根フレーム６０，７０を製造する。各建物ユニット２０、張出フレーム５５及び各張出屋根フレーム６０，７０を製造した後、それらをトラック等により施工現場へ搬送する。
【００７３】
施工現場では、まず各建物ユニット２０を所定位置に設置するとともに、それら各建物ユニット２０を連結部材（ドッキングプレート等）を介して互いに連結する作業を行う。その作業を終えた後、建物ユニット２０に張出フレーム５５を組み付ける作業を行う。この作業は、クレーンにより張出フレーム５５を吊り下げ支持しながら行う。
【００７４】
その後、張出フレーム５５上に各張出屋根フレーム６０，７０を設置する作業を行う。この作業も、クレーンにより張出屋根フレーム６０，７０を吊り下げ支持しなから行う。まず張出屋根フレーム６０の設置に際しては、張出屋根フレーム６０を張出フレーム５５の各連結梁５７ａ，５７ｂ上に架け渡して載置し、その載置状態で張出屋根フレーム６０（詳しくは対向梁６１）を各連結梁５７ａ，５７ｂにボルト６６で固定する。これにより、張出屋根フレーム６０が張出フレーム５５に組み付けられる。なお、張出屋根フレーム６０を施工現場で張出フレーム５５に組み付けることに代え、製造工場で張出フレーム５５に組み付けるようにしてもよい。
【００７５】
一方、張出屋根フレーム７０の設置に際しては、張出屋根フレーム７０を張出フレーム５５の連結梁５７ｂに固定されたブラケット７６（被支持部７６ｂ）上と、建物ユニット２０の天井大梁２２に固定された支持ブラケット８３（支持板部８３ｃ）上とに架け渡して載置し、その載置状態で張出屋根フレーム７０の対向梁７１ａをブラケット７６にボルト８４で固定し、対向梁７１ｂを支持ブラケット８３にボルト８５で固定する。これにより、張出屋根フレーム７０が張出フレーム５５（及び建物ユニット２０）に組み付けられる。
【００７６】
その後、張出フレーム５５に軒天板５１等を組み付ける作業を行う。また、各屋根フレーム４０，６０，７０上に野地板７７を敷き詰めて、それら野地板７７上に屋根断熱材７８や葺き材７９を敷設する等の作業を行う。さらには、パラペット３１を設置する作業を行う。これらの作業を行うことで屋根部１３が形成される。以上の作業により、建物１０が構築される。
【００７７】
以上、詳述した本実施形態の構成によれば、以下の優れた効果が得られる。
【００７８】
天井大梁２２に、当該天井大梁２２よりも屋根張出部３２側に張り出した状態で支持ブラケット８３を固定し、その支持ブラケット８３上に張出屋根フレーム７０を支持させて同ブラケット８３にボルト８５により固定した。この場合、張出屋根フレーム７０は、天井大梁２２上とは異なる位置でボルト固定されるため、施工現場で張出屋根フレーム７０を設置固定する際、ユニット屋根フレーム４０を天井大梁２２に固定するボルト８１をわざわざ取り外す必要がなくなる。そのため、施工工数の低減を図ることができる。
【００７９】
天井大梁２２上において、支持ブラケット８３の固定板部８３ａをユニット屋根フレーム４０における対向梁４１の被支持部４３上に重ねて配置し、その配置状態で固定板部８３ａを被支持部４３とともに共通のボルト８１で天井大梁２２に共締め固定した。この場合、支持ブラケット８３を天井大梁２２に固定する専用のボルトを設ける場合と比べて、ボルトの本数を減らすことができるとともに、本数を減らすことに伴うボルトの締結作業の工数低減を図ることができる。
【００８０】
支持ブラケット８３を、天井大梁２２上に固定された固定板部８３ａと、天井大梁２２よりも屋根張出部３２側に張り出して設けられ上面に張出屋根フレーム７０がボルト８５により固定された支持板部８３ｃと、支持板部８３ｃを固定板部８３ａとは異なる高さ位置に設定すべく支持板部８３ｃと固定板部８３ａとの間に設けられた縦板部８３ｂとを有して構成した。かかる構成では、天井大梁２２上に固定された固定板部８３ａと、張出屋根フレーム７０を支持する支持板部８３ｃとの間の高さ位置関係が縦板部８３ｂの上下寸法（高さ寸法）によって規定される。この場合、天井大梁２２に対する支持板部８３ｃの高さ位置ひいては張出屋根フレーム７０の高さ位置（支持高さ）が縦板部８３ｂの上下寸法により規定されるため、縦板部８３ｂの上下寸法を適宜設定することで、張出屋根フレーム７０の上面をユニット屋根フレーム４０の上面と同一平面上に位置させることが可能となる。
【００８１】
特に、陸屋根からなる屋根部１３では、その屋根面をフラットに形成すべく、屋根下地としての野地板７７が設けられるユニット屋根フレーム４０の上面と張出屋根フレーム７０の上面とを同一平面上に位置させる必要がある。その点、上記の実施形態では、それら各屋根フレーム４０，７０の上面が同一平面上に位置するように、縦板部８３ｂの上下寸法を設定したため、比較的簡単にフラットな屋根面を形成することができる。そのため、陸屋根を形成する上で好適な構成といえる。
【００８２】
建物ユニット２０における屋根張出部３２の張出側の側面（屋外側の側面）には外壁パネル３５が取り付けられるため、支持ブラケット８３の支持板部８３ｃは外壁パネル３５上に張り出して設けられることが考えられる。この点、支持ブラケット８３に縦板部８３ｂを設けることで、支持板部８３ｃの高さ位置を固定板部８３ａの高さ位置よりも高くしたため、支持板部８３ｃが外壁パネル３５上に配置される構成にあって、支持板部８３ｃを外壁パネル３５から上方に離して配置することが可能となる。これにより、支持板部８３ｃ上に張出屋根フレーム７０をボルト８５により固定する際、ボルト８５において支持板部８３ｃよりも下方へ突出する突出部分が外壁パネル３５に干渉するのを抑制することができる。その結果、かかる干渉に伴い外壁パネル３５に破損が生じる等の不都合が発生するのを抑制することができる。
【００８３】
上記外壁パネル３５では、外壁面材３６を裏面側から支持する下地フレーム３７においてフレーム上端に配された上端フレーム材３９ａがその溝部４５を上方に向けて配設されている。この点、支持板部８３ｃをその上端フレーム材３９ａ上に張り出して設け、その支持板部８３ｃ上に張出屋根フレーム７０を固定するボルト８５の先端側部分（支持板部８３ｃよりも下方へ延びる部分）を上記溝部４５へ向けて突出させるようにしたため、支持板部８３ｃ上に張出屋根フレーム７０をボルト８５により固定する際、ボルト８５の上記突出部分が外壁パネル３５に干渉するのを好適に回避することができる。そのため、かかる干渉に伴い外壁パネル３５に破損が生じる等の不都合が発生するのを好適に回避することができる。
【００８４】
本発明は上記実施形態に限らず、例えば次のように実施されてもよい。
【００８５】
（１）上記実施形態では、支持ブラケット８３において、支持板部８３ｃの高さ位置を固定板部８３ａの高さ位置よりも高くしたが、これを逆にして、支持板部８３ｃの高さ位置を固定板部８３ａの高さ位置よりも低くしてもよい。例えば、張出屋根フレーム７０の設置状態にて、対向梁７１ｂの被支持部７４が天井大梁２２の上面よりも低い位置に設定される構成では、支持板部８３ｃの高さ位置を固定板部８３ａの高さ位置よりも低く設定することで、張出屋根フレーム７０の上面とユニット屋根フレーム４０の上面とを同一平面上に位置させることが考えられる。
【００８６】
（２）上記実施形態では、支持ブラケット８３の横断面形状をＺ形形状としたが、支持ブラケット８３の断面形状は必ずしもこれに限定されない。例えば、図７に示すように、支持ブラケット９０を長尺平板状に形成してもよい。この場合にも、支持ブラケット９０を、その一部が天井大梁２２よりも屋根張出部３２（屋外側）に張り出した状態で天井大梁２２上にボルト８１で固定し、その支持ブラケット９０における上記張出部分に張出屋根フレーム７０の対向梁７１を載置しボルト８５で固定すればよい。そうすれば、張出屋根フレーム７０を天井大梁２２上とは異なる位置でボルト固定することができるため、張出屋根フレーム７０の設置固定の際、ボルト８１をわざわざ取り外す必要がなくなる。
【００８７】
（３）上記実施形態では、支持ブラケット８３を長尺状に形成したが、これに代えて、支持ブラケットを短尺状に形成してもよい。その場合、支持ブラケットを天井大梁２２上にその長手方向に沿って所定の間隔で複数配置する。そして、それら複数の支持ブラケットの支持板部上に跨がって張出屋根フレーム７０の対向梁７１（被支持部７３）を載置し、その載置状態で対向梁７１を各支持ブラケットの支持板部にボルト８５で固定すればよい。
【００８８】
（４）上記実施形態では、天井大梁２２上に支持ブラケット８３（固定板部８３ａ）を上側、ユニット屋根フレーム４０の対向梁４１（被支持部４３）を下側にして配置し、その配置でそれら両者８３ａ，４３を共通のボルト８１で天井大梁２２に固定したが、これを逆にして、被支持部４３を上側、固定板部８３ａを下側にして配置し、その状態で両者８３ａ，４３を天井大梁２２にボルト８１で固定してもよい。
【００８９】
上記実施形態では、支持ブラケット８３を天井大梁２２の上フランジ２２ａ上に固定したが、これを変更して、天井大梁２２のウェブに固定してもよい。この場合、例えば支持ブラケットを、天井大梁２２のウェブの外側面に固定される固定板部と、固定板部の上端部から屋外側へ延びる支持板部とを有するＬ字状に形成する。そして、支持板部上に張出屋根フレーム７０の対向梁７１（被支持部７４）を載置しボルト８５により支持板部に固定することが考えられる。
【００９０】
（５）上記実施形態では、張出屋根フレーム７０を支持ブラケット８３の支持板部８３ｃに固定するボルト８５を外壁パネル３５上における下地フレーム３７（詳しくは上端フレーム材３９ａ）上に配置したが、これに代えて、外壁面材３６上に配置してもよい。但し、その場合、ボルト８５において支持板部８３ｃよりも下方へ突出する突出部分が外壁面材３６に干渉するのを抑制又は回避すべく、支持板部８３ｃの高さ位置を高く（換言すると縦板部８３ｂの上下寸法を大きく）設定する必要がある。
【００９１】
また、支持板部８３ｃを外壁パネル３５よりも屋外側に延出するように設け、その延出部分でボルト８５による張出屋根フレーム７０の固定を行うようにしてもよい。その場合、ボルト８５の上記突出部分が外壁パネル３５に干渉するのを確実に回避することができるため、外壁パネル３５に破損が生じる等の不都合を確実に回避することができる。
【００９２】
（６）上記実施形態では、陸屋根を構成する屋根部１３に本発明の屋根構造を適用したが、例えば切妻屋根や寄棟屋根等の傾斜屋根を構成する屋根部（傾斜屋根部）に本発明を適用してもよい。傾斜屋根部においては、その屋根傾斜に沿って張出屋根フレーム及びユニット屋根フレームが並べて配設されることが考えられ、その場合それ各屋根フレームが共通の天井大梁２２に支持されることになる。そのため、本発明の屋根構造を適用することで、上記実施形態と同様の効果を得ることができる。
【符号の説明】
【００９３】
１０…建物、２０…建物ユニット、２２…天井大梁、３２…屋根張出部、３５…外壁パネル、３６…外壁面材、３７…下地フレーム、３９ａ…上端フレーム材、４０…第１屋根フレームとしてのユニット屋根フレーム、４５…溝部、７０…第２屋根フレームとしての張出屋根フレーム、８１…第１締結具としてのボルト、８３…支持部材としての支持ブラケット、８３ａ…重なり部としての固定板部、８３ｂ…縦板部、８３ｃ…支持板部、８５…第２締結具としてのボルト、９０…支持部材としての支持ブラケット。
【図１】
2015151680.tif 000003
【図２】
2015151680.tif 000004
【図３】
2015151680.tif 000005
【図４】
2015151680.tif 000006
【図５】
2015151680.tif 000007
【図６】
2015151680.tif 000008
【図７】
2015151680.tif 000009